(57)【特許請求の範囲】
【請求項１】
上部板体、下部板体および両板体に挟まれるリング状のゴム体とからなり、下部板体の下面側に円周方向に突出するフック部材を設け、上部板体および下部板体にそれぞれ圧搾空気挿入穴とボルト挿入穴を設けてボルト挿入穴にボルトを貫通してナットで締め付けることによりゴム体を外方向に広がるようにしたことを特徴とする清掃器具装置。
【請求項２】
下部板体もしくは上部板体に棒状部材を設け、上部板体もしくは下部板体に棒状部材挿入孔を設けたことを特徴とする請求項１に記載の清掃器具装置。
【請求項３】
上部板体および下部板体は、円錐台の形状から成ることを特徴とする請求項１又は請求項２に記載の清掃器具装置。
【発明の詳細な説明】
【０００１】
【発明が属する技術分野】
本願発明は、ユニットバスの浴槽エプロン近くにある排水口に設けたトラップ内の清掃を、トラップの上面から圧縮空気を送り込んで行う際に使用される清掃器具装置であって、トラップの上端部に設けたリング部材に係止される清掃器具装置に関するものである。
【０００２】
【従来の技術】
ユニットバスには防水パンが設けられており、一方には浴槽が設置され、他方には仕上げ材等を施して洗い場として使用され、また洗い場における浴槽側に排水溝を形成し、その底面部に排水口が設けられている。
【０００３】
その排水口の下方には、排水管を通して臭気等がユニットバス内に入るのを防ぐためにトラップが設けられているが、使用しているうちにトラップ、或いは排水管等の内壁面にヘドロ・水垢等が付着して自然と詰まった状態となり、やがてオ−バ−フロ−することにもなるので、このような状態を避けるためにトラップ内に従来は薬品を投入してトラップ内および排水管内に付着したヘドロ・水垢等の清掃を行っていた。
【０００４】
しかし、薬品ではトラップの内壁面或いは排水管の内壁面に付着したヘドロ・水垢等は薬品が触れた部分だけが反応して汚れが取れる程度で、トラップ内壁面或いは排水管内壁面の付着物をきれいに取り除くことができなかった。
【０００５】
【発明が解決しようとする課題】
本願発明は、排水口の下方に設けたトラップ内壁面或いは排水管内壁面に付着したヘドロ・水垢等を圧縮空気を送り込むことにより取り除く際に使用される清掃器具装置で、トラップ上端部に設けたリング部材に取り付ける清掃器具装置が、圧縮空気を送り込んだ時にリング部材から外れて飛ぶことのない構造にすることを課題とするものである。
【０００６】
【課題を解決するための手段】
本願発明は上記課題を解決するため、清掃器具装置を構成する下方板体の下面側に、トラップの上端部に設けたリング部材に固定されるフック部材を設けたものである。
その具体的手段は、
１、上部板体、下部板体および両板体に挟まれるリング状のゴム体とからなり、下部板体の下面側に円周方向に突出するフック部材を設け、上部板体および下部板体にそれぞれ圧搾空気挿入穴とボルト挿入穴を設けてボルト挿入穴にボルトを貫通してナットで締め付けることによりゴム体を外方向に広がるようにしたことを特徴とする清掃器具装置、
２、下部板体もしくは上部板体に棒状部材を設け、上部板体もしくは下部板体に棒状部材挿入孔を設けたことを特徴とする清掃器具装置、
３、上部板体および下部板体は、円錐台の形状から成ることを特徴とする清掃器具装置、
から成っている。
【０００７】
【発明の実施の形態】
以下本願発明に係る清掃器具装置について、図面に示す実施例に基いて説明する。
【０００８】
［実施例１］
図１は、ユニットバスに設置された防水パン１上に仕上げ材２が施された洗い場３における浴槽側と、浴槽エプロン４の下方に設けた排水口５およびトラップ６を示す縦断面図である。
【０００９】
洗い場３における浴槽側の防水パン１に、浴槽に沿って且つ浴槽エプロン４の下方に排水溝を形成し、その排水溝の中に排水口５が設けられ、排水口５の周縁部に段部７が形成されている。
【００１０】
この排水口５の周縁部に形成した段部７の裏側にトラップ６のフランジ部８が当接されており、排水口内側とトラップ６の上縁部内側にリング状の部材９を取り付けることにより両者が結合されている。
【００１１】
図５はリング状部材９を示す斜視図（ａ）、平面図（ｂ）および断面図（ｃ）で、リング状部材９は、円筒状部材の上端縁に排水口５の周縁部に形成した段部７に係合するフランジ１０が、外側面に雄ねじ１１がそれぞれ設けられ、内側面の中程に排水用目皿を支持するフランジ１２が形成されている。フランジ１２は、リング状部材９をトラップ６の内周面に螺合して取り付ける際に工具を引っ掛けるため、少なくとも２箇所において切欠部１３が設けられている。
【００１２】
排水口５を設けた防水パン１とトラップ６を結合するには、防水パン１に設けた排水口５からリング状部材９を挿入し、トラップ６の上端部の内周面に設けた雌ねじ部とリング状部材６の外側面の雄ねじ部１１とを螺合することにより、リング状部材６のフランジ１０が排水口周縁部に形成した段部７をトラップ６のフランジ８側へ押し付けて両者が結合される。
【００１３】
次にトラップ６の内壁面に付着したヘドロ・水垢等を圧搾空気を用いて取り除くが、その圧搾空気を送り込む清掃器具としてウオ−タ−ラム（株式会社カンツ−ル）等が使用されるが、清掃器具から圧搾空気を送り込むため排水口５に清掃器具装置Ａが取り付けられる。
【００１４】
以下本願発明の清掃器具装置Ａについて説明する。
図２（ａ）は、清掃器具装置Ａを構成する上部板体１４の平面図、側面図および正面図を示すものである。
【００１５】
上部板体１４は円錐台の形状から成り、圧搾空気を送り込む清掃器具の先端部を嵌め込む挿入穴１５を、又上部板体１４と下部板体１６を一体とするボルト挿入穴１７を中心部に、更に下部板体１６の上面に突出する棒状部材１８を入れる挿入孔１９が上部板体１４の裏面側に設けられている。
【００１６】
図２（ｂ）は、清掃器具装置Ａを構成する下部板体１６の平面図、側面図および正面図を示すものである。
【００１７】
下部板体１６も上部板体１４と同じように円錐台の形状から成り、上部板体１４に設けた清掃器具の先端部を嵌め込む挿入穴１５に合わせて挿入穴２０を、中心部にボルト挿入穴２１を設け、上部板体１４の裏面側に設けた棒状部材挿入孔１９に合わせて下部板体１６の上面に棒状部材１８を、更に裏面側には、排水口５に取り付けたリング状部材９の内側に設けたフランジ１２に係止するフック部材２２が少なくとも２箇所に設けられている。
【００１８】
図３（ａ  ）は、清掃器具装置Ａを構成する上部板体１４と下部板体１６との間に設けられるゴム体２３の平面図と側面図を示すものである。
ゴム体２３はリング状から成り、リングを形成する周縁部材２４の断面形状は５角形から成っていて、先端部は内側に向けられている。
【００１９】
図３（ｂ）は、上部板体１４と下部板体１６のボルト挿入穴１７、２１に挿入されるボルト２５と座金２６である。
【００２０】
図３（ｃ）は、トラップ６内へ圧搾空気を送り込むために上部板体１に設けた挿入穴１５に嵌め込まれる清掃器具の先端部に取り付けるエルボ部材２７である。
【００２１】
図４は上記した上部板体１４、ゴム体２３、下部板体１６、ボルト２５、座金２６およびナット２８から成る清掃器具装置Ａを分解した側面図である。
【００２２】
図６は、排水口５に取り付けたリング部材９と、当該リング部材９に取り付ける清掃器具装置Ａを分解した斜視図である。
【００２３】
清掃器具装置Ａはトラップ６内を圧搾空気により清掃する際に排水口５のリング部材９に取り付けられるが、まず下部板体１６の棒状部材１８を設けた面を上にして、上方からリング状のゴム体２３を下部板体１６の斜面部へ載置し、更に上部板体１４の裏面側に設けた棒状部材挿入穴１９へ、下部板体１６の上面に設けた棒状部材１８を挿入しながらゴム体２３上に載置する。
【００２４】
次に下部板体１６の中心に設けた挿入穴２１からボルト２５を挿入し、上部板体１４の中心に設けたボルト挿入穴１７を貫通して上部板体１４からボルト２５の先端部を突出させ、上方から座金２６を入れナット２８を取り付け、軽く締め付けることにより下部板体１６、ゴム体２３及び上部板体１４が一体となる。
【００２５】
一体となった清掃器具装置Ａの下部板材１６の下面側から突出するフック部材２２をリング部材９のフランジ１２に設けた切欠部１３に合わせ、当該フック部材２２を切欠部１３から挿入することによりフック部材２２をフランジ１２下方に位置させ、少し回転させることによりフック部材２２がフランジ１２下面に当接される。
【００２６】
この状態で更にナット２８を締め付けると、上部板体１４のテ−パ−面と下部板体１６のテ−パ−面によりゴム体２３の周縁部材２４は外方へ押し出されように変形し、排水口５のリング部材９に対し密封された状態で固定される。
【００２７】
トラップ６の上端部のリング部材９に上記したように清掃器具装置Ａが固定された後、上部板体１４に設けた挿入穴１５に圧縮空気を送る器具の先端部に設けたエルボ部材２７を挿入し、トラップ６内に圧縮空気が送り込まれる。
【００２８】
【発明の効果】
本願発明は、清掃器具装置の下部板体にフック部材を設け、当該フック部材をトラップの上端部に取り付けたリング部材のフランジに係止したことにより、トラップ内を圧搾空気により清掃を行っても、清掃器具装置はトラップから外れることがなくなった。
【００２９】
また、清掃器具装置の下部板体に棒状部材を設け、当該棒状部材を上部板体の下面側にある挿入孔に入れて上下板体が回転しないようにしたことにより、圧力を掛けるときに直接トラップ内の封水に圧力を掛けられるようになった。
【００３０】
更に、本願発明の清掃器具装置を使用することにより、ユニットバスにおける浴槽エプロンの下方が狭い空間の場合でも、排水トラップ内の清掃を行うことができるようになった。
【図面の簡単な説明】
【図１】ユニットバスにおける洗い場の浴槽側と、浴槽エプロン下方に設けた排水口およびトラップを示す縦断面図である。
【図２】ａ図は、上部板体の平面図、側面図および正面図を示すものである。
ｂ図は、下部板体の平面図、側面図および正面図を示すものである。
【図３】ａ図は、上部板体と下部板体との間に設けられるゴム体の平面図と側面図を示すものである。
ｂ図は、上部板体と下部板体のボルト挿入孔に挿入されるボルトと座金を示す側面図と平面図である。
ｃ図は、上部板体の挿入孔に嵌め込まれ清掃器具の先端部に取り付けるエルボ部材を示す側面図である。
【図４】清掃器具装置を分解した側面図である。
【図５】トラップの上端部に取り付けるリング部材を示す斜視図、平面図および断面図である。
【図６】排水口に取り付けたリング部材と清掃器具装置を示す分解斜視図である。
【符号の説明】
１    防水パン
２    仕上げ材
３    洗い場
４    浴槽エプロン
５    排水口
６    トラップ
７    段部
８    フランジ
９    リング部材
１０    フランジ
１１    雌ねじ
１２    フランジ
１３    切欠部
１４    上部板体
１５    挿入穴
１６    下部板体
１７    ボルト挿入穴
１８    棒状部材
１９    棒状部材挿入孔
２０    挿入穴
２２    フック部材
２３    ゴム体
２４    周縁部材
２５    ボルト
２６    座金
２７    エルボ部材
２８    ナット
【図１】
0003576435.tif 000002
【図２】
0003576435.tif 000003
【図３】
0003576435.tif 000004
【図４】
0003576435.tif 000005
【図５】
0003576435.tif 000006
【図６】
0003576435.tif 000007